(57)【特許請求の範囲】
【請求項１】
ディスク状記録媒体に光ビームを収束させる対物レンズと、この対物レンズを保持するレンズホルダと、このレンズホルダを前記対物レンズの光軸方向へ補正動作させる電磁駆動手段とを備え、前記レンズホルダに前記対物レンズと前記ディスク状記録媒体との接触を回避する保護部材が接着剤を用いて固定されている光学式ピックアップにおいて、
前記レンズホルダの上面に前記接着剤が充填される溝部を形成すると共に、前記保護部材が厚み方向の中央部を細くしたくびれ部を有する断面鼓形状となし、この保護部材を前記溝部の内底面に載置して前記くびれ部を該溝部の開口端から突出させ、前記接着剤を前記くびれ部内に充填したことを特徴とする光学式ピックアップ。
【請求項２】
請求項１の記載において、前記保護部材が互いに一体化された弾性部材と樹脂フィルムの積層構造体からなり、前記弾性部材に前記くびれ部が形成されると共に、前記樹脂フィルムが前記レンズホルダに載置されていることを特徴とする光学式ピックアップ。
【請求項３】
請求項２の記載において、前記保護部材がシート状の前記積層構造体から型抜きによって多数個取りされるようになし、この型抜きを前記弾性部材側から前記樹脂フィルムに向かって行うようにしたことを特徴とする光学式ピックアップ。
【請求項４】
請求項３の記載において、前記弾性部材がシリコンゴムからなると共に、前記樹脂フィルムがＰＥＴフィルムからなることを特徴とする光学式ピックアップ。
【発明の詳細な説明】
【技術分野】
【０００１】
本発明は、デジタルバーサタイルディスク（ＤＶＤ）やコンパクトディスク（ＣＤ）等のディスク状記録媒体に対して情報を記録／再生する光学式ピックアップに係り、特に、レンズホルダに取着された保護部材によって対物レンズとディスク状記録媒体との接触を回避するようにした光学式ピックアップに関するものである。
【背景技術】
【０００２】
光学式ピックアップは、一般的に、半導体レーザ等の発光手段および光検出器等の受光手段が一体的に配設された受発光ユニットと、対物レンズを保持するレンズホルダや該レンズホルダを駆動する電磁駆動手段が配設されたアクチュエータと、受発光ユニットと対物レンズ間の光路中に設置された反射ミラーと、これら各部材が搭載されたシャーシとによって概略構成されている。前記電磁駆動手段は、レンズホルダ側に取着されたフォーカスコイルおよびトラッキングコイルと、アクチュエータベース側に配設された磁気回路部とで構成されており、フォーカスコイルおよびトラッキングコイルが磁気回路部で発生する磁束を横切るように配置されている。また、レンズホルダは複数本の導電性ワイヤを介して支持基板に支持されており、各ワイヤの先端側はそれぞれフォーカスコイルとトラッキングコイルの各端末に接続されている。これにより、外部駆動回路から支持基板と各ワイヤを介してフォーカスコイルやトラッキングコイルに駆動電流が供給されるようになっている。
【０００３】
このように概略構成された光学式ピックアップでは、半導体レーザ等から出射されて反射ミラーで反射された光ビームが対物レンズによってディスクのデータトラックに照射されると共に、該ディスクからの戻り光ビームが対物レンズや反射ミラーを経由して受光手段にて受光されることにより、ディスクに対して情報の記録／再生が行われるようになっており、その際に、光ビームのスポット径をデータトラックに対して制御するフォーカスサーボとトラッキングサーボがかけられる。すなわち、フォーカスコイルに通電すると対物レンズの光軸に沿った方向に電磁力が発生するため、その方向へレンズホルダを駆動して対物レンズのフォーカス補正が行え、また、トラッキングコイルに通電すると対物レンズの光軸と直交する方向に電磁力が発生するため、その方向へレンズホルダを駆動して対物レンズのトラッキング補正が行えるようになっている。
【０００４】
従来より、この種の光学式ピックアップ、特に対物レンズの表面とディスクとの間の作動距離（ワーキングディスタンス）が狭く設定された光学式ピックアップにおいて、レンズホルダの上面に対物レンズの表面よりもディスクに向けて突出した保護部材を取着することにより、何らかの理由でレンズホルダがディスクの方向に過度に変動したときに、対物レンズよりも保護部材を先にディスクに接触させて対物レンズやディスクの損傷を防止するようにしたものが知られている（例えば、特許文献１参照）。この保護部材は軟質な弾性材料であるシリコンゴムの単体、あるいはシリコンゴムを樹脂フィルムに一体化した積層体として構成されており、いずれの場合も接着剤を用いてレンズホルダの上面に固着されるようになっている。
【特許文献１】特開２００４−３０３３８３号公報（第５−７頁、図３）
【発明の開示】
【発明が解決しようとする課題】
【０００５】
特許文献１に開示された従来の光学式ピックアップでは、シリコンゴムの単体あるいはシリコンゴムと樹脂フィルムの積層体からなる保護部材をレンズホルダの上面に接着して対物レンズの表面よりも突出させているので、対物レンズやディスクの損傷を軟質な保護部材によって防止できるようになっているが、保護部材を構成するシリコンゴムや樹脂フィルムはいずれも接着性が悪い材料であるため、接着剤の量が不足すると保護部材が剥離する虞がある。そこで従来は、接着剤の使用量を増やして保護部材の接着強度を高めるようにしているが、接着剤の量が多過ぎると、保護部材の下面からはみ出た余剰の接着剤が側面を越えて上面まで達してしまい、かかる余剰分の接着剤によってディスクが傷付けられてしまうという問題があった。
【０００６】
本発明は、このような従来技術の実情に鑑みてなされたもので、その目的は、対物レンズとディスク状記録媒体との接触を確実に回避することができる光学式ピックアップを提供することにある。
【課題を解決するための手段】
【０００７】
本発明は、レンズホルダの上面に接着剤が充填される溝部を形成すると共に、保護部材を厚み方向の中央部がくびれた断面鼓形状となし、この保護部材のくびれ部に接着剤を充填してアンカーボルト効果を得ることにより、少量の接着剤を用いて保護部材を高い接着強度でレンズホルダに固着できるようにした。
【発明の効果】
【０００８】
本発明による光学式ピックアップは、対物レンズとディスク状記録媒体との接触を回避する保護部材が厚み方向の中央部を細くしたくびれ部を有する断面鼓形状となし、この保護部材をレンズホルダの上面に形成した溝部の内底面に載置すると共に、溝部の開口端から突出するくびれ部内に接着剤を充填してアンカーボルト効果を得ることにより、少量の接着剤にも拘わらず十分に高い接着強度を確保することが可能となるため、余剰分の接着剤が保護部材の上面まではみ出てディスクを傷付けるという不具合を解消することができる。
【発明を実施するための最良の形態】
【０００９】
本発明は、ディスク状記録媒体に光ビームを収束させる対物レンズと、この対物レンズを保持するレンズホルダと、このレンズホルダを前記対物レンズの光軸方向へ補正動作させる電磁駆動手段とを備え、前記レンズホルダに前記対物レンズと前記ディスク状記録媒体との接触を回避する保護部材が接着剤を用いて固定されている光学式ピックアップにおいて、前記レンズホルダの上面に前記接着剤が充填される溝部を形成すると共に、前記保護部材が厚み方向の中央部を細くしたくびれ部を有する断面鼓形状となし、この保護部材を前記溝部の内底面に載置して前記くびれ部を該溝部の開口端から突出させ、前記接着剤を前記くびれ部内に充填するように構成した。
【００１０】
このように構成された光学式ピックアップでは、レンズホルダの上面に形成した溝部の内底面に保護部材を接着剤を用いて固着する際に、断面鼓形状をなす保護部材のくびれ部を溝部の開口端から突出させ、このくびれ部内に接着剤を充填してアンカーボルト効果を得ることにより、少量の接着剤にも拘わらず十分に高い接着強度を確保することが可能となるため、余剰分の接着剤が保護部材の上面まではみ出てディスクを傷付けるという不具合を解消することができる。
【００１２】
上記の構成において、保護部材はシリコンゴム等からなる弾性材料の単体であっても良いが、保護部材が互いに一体化された弾性部材と樹脂フィルムの積層構造体からなり、この弾性部材にくびれ部が形成されると共に、樹脂フィルムがレンズホルダに載置されている構成にすると、接着作業時等を含めて保護部材の取り扱いが容易になって好ましい。この場合において、保護部材がシート状の積層構造体から型抜きによって多数個取りされるようになし、この型抜きを弾性部材側から樹脂フィルムに向かって行うようにすると、個々に型抜きされた後の弾性部材の上端部の寸法が安定するため好ましい。
【００１３】
また、上記の構成において、保護部材の積層構造体を構成する弾性部材と樹脂フィルムの材料は特に限定されないが、弾性部材がシリコンゴムからなると共に、樹脂フィルムがＰＥＴフィルムからなることが好ましい。
【実施例】
【００１４】
実施例について図面を参照して説明すると、図１は実施例に係る光学式ピックアップを上方から見た斜視図、図２は該光学式ピックアップを下方から見た斜視図、図３は該光学式ピックアップの平面図、図４は該光学式ピックアップの裏面図、図５は該光学式ピックアップに備えられるアクチュエータの斜視図、図６は該アクチュエータの平面図、図７は該アクチュエータの側面図、図８は該アクチュエータから背面基板を取り除いて示す斜視図、図９は図６のＡ−Ａ線に沿う断面図、図１０は図６のＢ−Ｂ線に沿う断面図、図１１は図９のＣ−Ｃ線に沿う断面図、図１２は該アクチュエータに備えられる補助ヨークの斜視図、図１３は図６のＤ−Ｄ線に沿う断面図、図１４は該アクチュエータに備えられる保護部材の型抜き工程を示す説明図である。
【００１５】
図１〜図４に示すように、本実施例に係る光学式ピックアップは、アルミニウム等からなるシャーシ１と、シャーシ１の一側部に固定された受発光ユニット２と、シャーシ１の内部に組み込まれたアクチュエータ３と、シャーシ１内に配置された光学部品や回路基板（いずれも図示せず）を覆うカバー４と、前記回路基板からシャーシ１の外部に導出されたフレキシブル配線基板５とによって概略構成されている。シャーシ１は図示せぬガイドシャフトによってディスクの半径方向へ往復移動されるものであり、シャーシ１の底面にはアクチュエータ３を臨出させる矩形状の開口１ａが設けられている。受発光ユニット２は半導体レーザと光検出器をユニット化したものであり、この受発光ユニット２はフレキシブル配線基板５を介して外部駆動回路に接続されるようになっている。
【００１６】
アクチュエータ３は対物レンズ駆動装置であり、図５〜図１０に示すように、このアクチュエータ３は、対物レンズ６が取り付けられた合成樹脂製のレンズホルダ７と、このレンズホルダ７を弾性的に支持する４本のワイヤ８と、各ワイヤ８の基端側が挿通された合成樹脂製の支持部材９と、この支持部材９の反レンズホルダ７側の面に固着された背面基板１０と、支持部材９が載置固定されたベース部材（アクチュエータベース）１１等を備えている。
【００１７】
レンズホルダ７にはフォーカスコイル１２とトラッキングコイル１３が巻装されており、図６から明らかなように、これらフォーカスコイル１２とトラッキングコイル１３をベース部材１１側に配設された一対のマグネット１４の磁路が横断している。このベース部材１１はヨークを兼ねており、マグネット１４はベース部材１１の底面から上方へ直角に折れ曲がる一対の起立部１１ａに固着されている。これらマグネット１４とヨーク（ベース部材１１）は磁気回路部を構成しており、この磁気回路部とフォーカスコイル１２およびトラッキングコイル１３によってレンズホルダ７を駆動する電磁駆動手段が構成されている。ヨークはトップヨーク１５と補助ヨーク１６を備えており、トップヨーク１５は一方の起立部１１ａとフォーカスコイル１２の上方に配置されてヨーク上面の漏洩磁束を低減させるようにしている。補助ヨーク１６は両起立部１１ａの下方に跨って配置されており、この補助ヨーク１６によってヨーク底面の磁束の飽和しやすい部位が補完されている。補助ヨーク１６は鉄等の金属板をプレス加工することによって形成され、図１２に示すように、この補助ヨーク１６は固定部１６ａと薄肉部（支持部）１６ｂを有している。固定部１６ａは原材料である金属板をＬ字状に折り曲げたものであり、この固定部１６ａは一方の起立部１１ａの下部とベース部材１１の底面に固着されている。薄肉部１６ｂは原材料である金属板の板厚を部分的に薄くしたもので、この薄肉部１６ｂは固定部１６ａの相対向する両端部からベース部材１１の底面に沿ってマグネット１４の磁路と直交する方向へ延出している。すなわち、補助ヨーク１６の固定部１６ａはヨークを兼ねるベース部材１１の底面に密着しているが、両薄肉部１６ｂはベース部材１１の底面から離反し、このベース部材１１および後述するフレキシブル配線基板２１に下方から対向しており、図１１に示すように、ベース部材１１の底面と薄肉部１６ｂとの間に間隙Ｓが形成されている。
【００１８】
なお、ベース部材１１には半球状の突部を有する腕部１１ｂが形成されており、この腕部１１ｂを板ばね１７によってシャーシ１に揺動可能に支持すると共に、２本の調整ねじ１８をシャーシ１の下方からベース部材１１に螺合させることにより、対物レンズ６の光軸を調整した状態でベース部材１１がシャーシ１に固定されている。すなわち、ディスクの記録面に対して正確に信号を記録／再生するためには、反射ミラーの真上に位置する対物レンズ６の光軸を該ディスクの記録面に対して垂直に設定しておく必要があるので、シャーシ１にアクチュエータ３を取り付ける際には、調整ねじ１８の締め付け力を加減することによって対物レンズ６の光軸調整（スキュー調整）を行えるようになっている。そして、かかるスキュー調整時のベース部材１１の動きを逃がす開口１ａがシャーシ１の底面に設けられているため、ベース部材１１の下部が開口１ａ内で上下方向にオーバーラップする分だけ光学式ピックアップの高さ寸法が低背化されている。
【００１９】
ワイヤ８は導電性の金属材からなり、レンズホルダ７の左右両側部には片側について上下２本ずつ、合計で４本のワイヤ８が取り付けられている。図５に示すように、上下方向に対向する２本のワイヤ８間寸法を上下方向ピッチＰ１、左右方向に対向する２本のワイヤ８間寸法を左右方向ピッチＰ２とすると、上下方向ピッチＰ１は左右方向ピッチＰ２に比べて格段に小さく設定されている。フォーカスコイル１２とトラッキングコイル１３の両端末は各ワイヤ８の一端部（自由端部）に接続されており、各ワイヤ８の他端部（基端部）は支持部材９に形成された空所９ａを貫通して背面側へ突出している。図８に示すように、支持部材９の背面側には中央の凸部９ｂを挟んで左右両側部に段差面９ｃが形成されており、これら段差面９ｃには空所９ａの開口端に連通して左右方向に延びる凹部９ｄが形成されている。この凹部９ｄは空所９ａの開口端から突出する上下２本のワイヤ８間を横切って支持部材９の側端縁まで達しており、左右両側の段差面９ｃは凹部９ｄによってそれぞれ上下方向に２分割されている。なお、支持部材９はベース部材１１の内底面を取付面として固着されているが、段差面９ｃの下端部はこの取付面よりも下方へ突出している（図１０参照）。
【００２０】
支持部材９の凸部９ｂの平坦面には背面基板１０の中央部が接着固定されており、背面基板１０の長手方向両端部は支持部材９の段差面９ｃと間隙ｇを介して対向する自由端部となっている。この背面基板１０は、弾性金属薄板からなる４枚の導体板パターンを互いに非接触に並設し、これら４枚の導体板パターンの両面を耐熱絶縁性のカバーフィルムで挟み込んだラミネート構造の基板であり、背面基板１０の自由端部には上部と下部に２箇所ずつ、合計で４箇所（四隅）に小孔１０ａが穿設されている。各小孔１０ａの周囲には前記導体板パターンの一部を露出させたランド部１０ｂが形成されており、各ワイヤ８の基端部は背面基板１０の小孔１０ａを貫通してランド部１０ｂに半田付けされている。図１０に示すように、支持部材９の空所９ａ内にはゲル状のダンパ剤１９が充填されており、このダンパ剤１９によって各ワイヤ８の径方向の変位に対して粘性抵抗が作用するようになっている。また、支持部材９の段差面９ｃと背面基板１０間の間隙ｇにもゲル状のダンパ剤２０が充填されており、このダンパ剤２０によって各ワイヤ８の長手方向の変位に対して粘性抵抗が作用するようになっている。ここで、段差面９ｃには左右方向へ延びる凹部９ｄが形成されているので、背面基板１０と凹部９ｄは広い隙間Ｇを介して対向することとなり、ダンパ剤２０はこの隙間Ｇに比べて十分に狭い間隙ｇに充填される。なお、ディスペンサ等を用いることによってダンパ剤２０を背面基板１０と段差面９ｃ間の間隙ｇのみに充填することができるが、背面基板１０と凹部９ｄ間の隙間Ｇにもダンパ剤２０を充填しても良い。
【００２１】
背面基板１０の中央下端部には前記各導体板パターンを外部へ突出させた接続端子部１０ｃが形成されており、これら接続端子部１０ｃにリード用のフレキシブル配線基板２１が接続されている。このフレキシブル配線基板２１はシャーシ１の開口１ａから露出するアクチュエータ３の下方を通って前述したフレキシブル配線基板５に接続されており、外部駆動回路からフレキシブル配線基板２１と背面基板１０および各ワイヤ８を介してフォーカスコイル１２とトラッキングコイル１３に駆動電流が供給されるようになっている。なお、フレキシブル配線基板５とフレキシブル配線基板２１は一体品としても良く、また、フレキシブル配線基板２１と背面基板１０を一体品とすることも可能である。図２と図４に示すように、フレキシブル配線基板２１の一部はベース部材１１の底面と補助ヨーク１６の薄肉部１６ｂとの間に形成された間隙Ｓ（図１１参照）に挿入されており、これによってフレキシブル配線基板２１の弛みが防止されるようになっている。
【００２２】
前記レンズホルダ７の上面には対物レンズ６を挟んで一対の保護部材２２が取り付けられており、これら保護部材２２は対物レンズ６の表面よりも上方へ突出しているため、何らかの理由でレンズホルダ７がディスクの方向に過度に変動したとしても、保護部材２２が対物レンズ６よりも先にディスクに接触するようになっている。図１３に示すように、保護部材２２はレンズホルダ７の上面に形成した溝部７ａによって位置決めされており、この溝部７ａ内に充填した接着剤２３によってレンズホルダ７の所定位置に接着固定されている。保護部材２２はＰＥＴ（ポリエチレンテレフタレート）フィルム２４上にシリコンゴム２５を一体化した積層構造体からなり、下層のＰＥＴフィルム２４は溝部７ａの内底面に載置されている。上層のシリコンゴム２５は円柱体の厚み方向中央をくびれさせた断面鼓形に形成されており、シリコンゴム２５はくびれ部２５ａの真ん中付近が溝部７ａの開口端を横切って上方へ突出する程度の厚みを有している。したがって、接着剤２３は溝部７ａの開口端付近まで充填された時点でシリコンゴム２５のくびれ部２５ａに入り込み、このくびれ部２５ａに入り込んだ接着剤２３のアンカーボルト効果によって、少量の接着剤２３にも拘わらず保護部材２２を十分に高い接着強度でレンズホルダ７に固定することができる。
【００２３】
図１４に示すように、保護部材２２はＰＥＴフィルム２６ａとシリコンゴム２６ｂを一体化した大判のシート状積層構造体２６をポンチ２７で型抜きすることによって多数個取りされるようになっており、その際、ポンチ２７の型抜きをシリコンゴム２６ｂの上端面からＰＥＴフィルム２６ａに向かって行うようにしている。このように型抜きして個々の保護部材（ＰＥＴフィルム２４とシリコンゴム２５）２２を多数個取りすると、型抜きされたシリコンゴム２５の上端部寸法がポンチ２７の直径に依存して安定するため、寸法のばらつきの少ない保護部材２２を多数個取りすることができる。
【００２４】
このように構成された光学式ピックアップでは、受発光ユニット２の半導体レーザから出射されて図示せぬ反射ミラーで反射された光ビームを対物レンズ６で収束させてディスクのデータトラックに照射することによって情報の記録／再生が行われ、その際、光ビームのスポット径をデータトラックに対して制御するフォーカスサーボとトラッキングサーボがかけられる。すなわち、外部駆動回路からフレキシブル配線基板２１と背面基板１０および各ワイヤ８を介してフォーカスコイル１２に駆動電流が供給されると、対物レンズ６の光軸に沿った方向に電磁力が発生するため、その方向へレンズホルダ７を駆動して対物レンズ６のフォーカス補正が行える。また、同様にしてトラッキングコイル１３に駆動電流が供給されると、対物レンズ６の光軸と直交する方向に電磁力が発生するため、その方向へレンズホルダ７を駆動して対物レンズ６のトラッキング補正が行える。
【００２５】
かかる対物レンズ６の補正動作時に、各ワイヤ８は支持部材９の空所９ａ内に充填されたダンパ剤１９を圧縮しながら曲げ変形するが、この曲げ変形に伴う各ワイヤ８の径方向の変位に対してダンパ剤１９が粘性抵抗力を示すため、各ワイヤ８の径方向に働く不要共振が減衰される。また、各ワイヤ８の曲げ変形に追従して支持部材９の段差面９ｃに対向する背面基板１０の自由端部が弾性変形すると共に、段差面９ｃと背面基板１０間の間隙ｇに充填されたダンパ剤２０が圧縮されて各ワイヤ８の長さ方向に働く不要共振が減衰されるため、対物レンズ６の光軸が前後方向へ倒れるピッチング動作時や、該光軸を中心として左右方向へ回転するヨーイング動作時の高次共振周波数を、フォーカス補正動作やトラッキング補正動作のサーボ帯域に影響のない低い領域に下げることができる。
【００２６】
本実施例に係る光学式ピックアップの対物レンズ駆動装置では、背面基板１０の自由端部と対向する支持部材９の段差面９ｃに上下２本のワイヤ８間を横切って側端縁まで延びる凹部９ｄが形成されており、この凹部９ｄによってダンパ剤２０の充填される隙間ｇが中央部に比べて上下両端側が狭くなっているため、背面基板１０の上下両端の変位量が大きいピッチング動作時に効果的なダンピングが得られるのみならず、背面基板１０の左右両端の変位量が大きいヨーイング動作時に必要以上にダンピングをかけ過ぎることがなくなり、ヨーイング動作時の共振周波数の上昇を最小限に抑えることができる。また、支持部材９の段差面９ｃの下端部をベース部材１１への取付面よりも下方へ突出させてあり、支持部材９の背面側の上下方向に限られたスペース内でワイヤ８の上下方向ピッチを最大限に稼げるため、ピッチング動作時により効果的にダンピングをかけることができる。
【００２７】
また、本実施例に係る光学式ピックアップでは、シャーシ１の底面にアクチュエータ３を臨出させる開口１ａを設けることによって薄型化が図れており、しかも、このアクチュエータ３に備えられる磁気回路部の構成部品であるヨーク（ベース部材１１）の底面に薄肉部１６ｂを有する補助ヨーク１６を固着し、これら薄肉部１６ｂとヨークの底面間に画成される間隙Ｓに背面基板１０から導出するフレキシブル配線基板２１の一部を通過させたので、ヨークの飽和磁束を補完するために必要とされる補助ヨーク１６をフレキシブル配線基板２１の弛み防止部材として兼用することができ、それゆえ、フレキシブル配線基板２１の開口１ａからのはみ出しを特段のコストアップを伴うことなく確実に防止することができる。
【００２８】
さらに、本実施例に係る光学式ピックアップでは、対物レンズ６とディスクとの接触を回避する保護部材２２として、厚み方向の中央部が細くなったくびれ部２５ａを有する断面鼓形のシリコンゴム２５をＰＥＴフィルム２４上に一体化した積層構造体を用い、このＰＥＴフィルム２４をレンズホルダ７の上面に形成した溝部７ａの内底面に載置すると共に、シリコンゴム２５のくびれ部２５ａの真ん中付近を溝部７ａの開口端を横切って上方へ突出させた状態で、溝部７ａ内に接着剤２３を充填してくびれ部２５ａに入り込ませるようにしたので、シリコンゴム２５のくびれ部２５ａに入り込んだ接着剤２３のアンカーボルト効果によって、少量の接着剤２３にも拘わらず保護部材２２を十分に高い接着強度でレンズホルダ７に固定することができ、余剰分の接着剤２３が保護部材２２の上面まではみ出てディスクを傷付けることを確実に防止できる。
【００２９】
なお、上記実施例では、対物レンズを保持するレンズホルダ側にフォーカスコイルとトラッキングコイルが取着されたムービングコイル方式の光学式ピックアップについて説明したが、レンズホルダ側に磁気回路部が取着されたムービングマグネット方式の光学式ピックアップにも本発明は適用可能である。
【図面の簡単な説明】
【００３０】
【図１】本発明の実施例に係る光学式ピックアップを上方から見た斜視図である。
【図２】該光学式ピックアップを下方から見た斜視図である。
【図３】該光学式ピックアップの平面図である。
【図４】該光学式ピックアップの裏面図である。
【図５】該光学式ピックアップに備えられるアクチュエータの斜視図である。
【図６】該アクチュエータの平面図である。
【図７】該アクチュエータの側面図である。
【図８】該アクチュエータから背面基板を取り除いて示す斜視図である。
【図９】図６のＡ−Ａ線に沿う断面図である。
【図１０】図６のＢ−Ｂ線に沿う断面図である。
【図１１】図９のＣ−Ｃ線に沿う断面図である。
【図１２】該アクチュエータに備えられる補助ヨークの斜視図である。
【図１３】図６のＤ−Ｄ線に沿う断面図である。
【図１４】該アクチュエータに備えられる保護部材の型抜き工程を示す説明図である。
【符号の説明】
【００３１】
１  シャーシ
２  受発光ユニット
３  アクチュエータ
６  対物レンズ
７  レンズホルダ
７ａ  溝部
８  ワイヤ
９  支持部材
１０  背面基板
１１  ベース部材
１２  フォーカスコイル
１３  トラッキングコイル
１４  マグネット
２２  保護部材
２３  接着剤
２４  ＰＥＴフィルム（樹脂フィルム）
２５  シリコンゴム（弾性部材）
２５ａ  くびれ部
２６  シート状積層構造体
２７  ポンチ
【図１】
0004566155.tif 000002
【図２】
0004566155.tif 000003
【図３】
0004566155.tif 000004
【図４】
0004566155.tif 000005
【図５】
0004566155.tif 000006
【図６】
0004566155.tif 000007
【図７】
0004566155.tif 000008
【図８】
0004566155.tif 000009
【図９】
0004566155.tif 000010
【図１０】
0004566155.tif 000011
【図１１】
0004566155.tif 000012
【図１２】
0004566155.tif 000013
【図１３】
0004566155.tif 000014
【図１４】
0004566155.tif 000015